(57)【要約】【課題】  フロントピラーに対するピラーツーピラーメンバの組み付け作業が容易にできるようにする。【解決手段】  自動車が、車室２の前端部に配置され、車体１の幅方向に延びてその各端部が左右フロントピラー３の所定部位１５に結合されるピラーツーピラーメンバ７と、車室２の前端部に配置され、ブレーキシリンダ２７用のオイルを溜めるリザーバタンク２８と、ピラーツーピラーメンバ７とリザーバタンク２８とをその後方から覆って上記ピラーツーピラーメンバ７に支持されるインスツルメントパネル４０とを備える。フロントピラー３に固着されてリザーバタンク２８を支持する支持ブラケット３０を設ける。インスツルメントパネル４０を支持したピラーツーピラーメンバ７の長手方向の端部を、フロントピラー３の所定部位１５の後側からこの所定部位１５に向けて案内可能とする案内部４２を支持ブラケット３０に形成する。【選択図】    図１
2005112097.tif 000002
【特許請求の範囲】
【請求項１】
車室の前端部に配置され、車体の幅方向に延びてその各端部が左右フロントピラーの所定部位に結合されるピラーツーピラーメンバと、上記車室の前端部に配置され、ブレーキシリンダ用のオイルを溜めるリザーバタンクと、上記ピラーツーピラーメンバとリザーバタンクとをその後方から覆って上記ピラーツーピラーメンバに支持されるインスツルメントパネルとを備えた自動車において、
上記フロントピラーに固着されて上記リザーバタンクを支持する支持ブラケットを設け、上記インスツルメントパネルを支持したピラーツーピラーメンバの長手方向の端部を、上記フロントピラーの所定部位の後側からこの所定部位に向けて案内可能とする案内部を上記支持ブラケットに形成したことを特徴とする自動車の車室における車両構成部品支持構造。
【発明の詳細な説明】
【技術分野】
【０００１】
本発明は、左右フロントピラーに支持されるピラーツーピラーメンバ、ブレーキシリンダ用オイルを溜めるリザーバタンク、およびこれらを覆うインスツルメントパネルが車室の前端部に配置された自動車の車室における車両構成部品支持構造に関するものである。
【背景技術】
【０００２】
上記した自動車の車室における車両構成部品支持構造には、従来、下記特許文献１，２に示されたものがある。
【０００３】
第１の従来の技術として、上記特許文献１のものによれば、自動車は、車室の前端部に配置されて車体に支持されるブレーキシリンダと、このシリンダに供給されるべきオイルを溜めるリザーバタンクと、上記シリンダとリザーバタンクとを連通させるオイルチューブと、これらリザーバタンクとオイルチューブとをその後方から覆うインスツルメントパネルとを備えている。
【０００４】
また、上記構成において、従来、自動車が、車室の前端部に配置され、車体の幅方向に延びてその各端部が左右フロントピラーの所定部位に結合されるピラーツーピラーメンバを備え、このピラーツーピラーメンバに上記インスツルメントパネルを支持させたものがある。
【０００５】
上記第１の従来の技術において、上記フロントピラーの所定部位に対し、その後側から上記インスツルメントパネルを支持したピラーツーピラーメンバの長手方向の端部を組み付ける作業をする際には、これらピラーツーピラーメンバとインスツルメントパネルとの組立て体を、上記所定部位とリザーバタンクとの後側から前方に移動させる。そして、上記ピラーツーピラーメンバの端部を上記フロントピラー所定部位に位置させ、この所定部位に対し上記ピラーツーピラーメンバの端部を結合すれば、上記組み付け作業が終了する。
【０００６】
一方、第２の従来の技術として、上記特許文献２のものでは、上記特許文献１につき説明したリザーバタンクは、上記インスツルメントパネルに支持されている。
【０００７】
【特許文献１】実開平５−２６５９３号公報
【特許文献２】特開平１０−４４８３１号公報
【発明の開示】
【発明が解決しようとする課題】
【０００８】
ところで、上記第１の従来の技術において、上記したようにフロントピラーの所定部位に対し、インスツルメントパネルを支持したピラーツーピラーメンバの端部を組み付ける作業をする場合、この作業中において、上記リザーバタンクに上記インスツルメントパネルが接触し易い場合には、この接触によって、上記ピラーツーピラーメンバの端部を上記フロントピラーの所定部位にまで移動させる際の作業が阻害され、これにより、上記組み付け作業が煩雑になるという問題点がある。
【０００９】
そこで、上記組み付け作業が終了した状態での上記リザーバタンクとインスツルメントパネルとの間の隙間を予め十分に大きくしておき、上記組み付け作業中に、上記接触が生じないようにすることが考えられる。しかし、これでは、上記のように隙間を大きくした分、インスツルメントパネルが車室の内側へ大きく張り出しがちとなって、大きな空間を占有することとなる分、このインスツルメントパネルの意匠形状の設定の自由度が損なわれるおそれを生じる。
【００１０】
そこで、上記組み付け作業中において、上記フロントピラーの所定部位に上記ピラーツーピラーメンバの端部が向かうようこのピラーツーピラーメンバの端部を案内する案内体を設けることが考えられる。しかし、このような案内体を単に設けると、車両構成部品が増加することとなって、上記自動車の車室における車両構成部品支持構造が複雑になる。
【００１１】
一方、上記第２の従来の技術では、上記組み付け作業をする場合、まず、車体にインスツルメントパネルを組み付けた後に、このインスツルメントパネルにリザーバタンクを組み付けるようにすることができる。このため、前記第１の従来の技術のように組み付け作業中に、インスツルメントパネルがリザーバタンクに接触して、上記組み付け作業が煩雑になるということは防止される。
【００１２】
しかし、上記インスツルメントパネルにリザーバタンクを組み付けた後、上記シリンダとリザーバタンクとを連通させるよう、これらに対しオイルチューブを取り付けようとすると、この際、上記シリンダはインスツルメントパネルで覆われているため、このインスツルメントパネルが上記オイルチューブの取り付けの邪魔になり、よって、この第２の従来の技術においても、結局、上記組み付け作業が煩雑になるおそれがある。
【課題を解決するための手段】
【００１３】
本発明は、上記のような事情に注目してなされたもので、本発明の目的は、自動車において、左右フロントピラーに支持されるピラーツーピラーメンバ、ブレーキシリンダ用オイルを溜めるリザーバタンク、およびこれらを覆うインスツルメントパネルが車室の前端部に配置された場合に、フロントピラーに対するピラーツーピラーメンバの組み付け作業が容易にできるようにし、かつ、このようにした場合でも、上記ピラーツーピラーメンバ、リザーバタンク、およびインスツルメントパネルをコンパクトに配置してインスツルメントパネルの意匠形状の設定の自由度を向上させるようにすると共に、上記した容易な組み付け作業が簡単な構成で達成されるようにすることである。
【００１４】
請求項１の発明は、車室２の前端部に配置され、車体１の幅方向に延びてその各端部が左右フロントピラー３の所定部位１５に結合されるピラーツーピラーメンバ７と、上記車室２の前端部に配置され、ブレーキシリンダ２７用のオイルを溜めるリザーバタンク２８と、上記ピラーツーピラーメンバ７とリザーバタンク２８とをその後方から覆って上記ピラーツーピラーメンバ７に支持されるインスツルメントパネル４０とを備えた自動車において、
上記フロントピラー３に固着されて上記リザーバタンク２８を支持する支持ブラケット３０を設け、上記インスツルメントパネル４０を支持したピラーツーピラーメンバ７の長手方向の端部を、上記フロントピラー３の所定部位１５の後側からこの所定部位１５に向けて案内可能とする案内部４２を上記支持ブラケット３０に形成したものである。
【００１５】
なお、この項において、上記各用語に付記した符号は、本発明の技術的範囲を後述の「実施例」の項の内容に限定解釈するものではない。
【発明の効果】
【００１６】
本発明による効果は、次の如くである。
【００１７】
請求項１の発明は、車室の前端部に配置され、車体の幅方向に延びてその各端部が左右フロントピラーの所定部位に結合されるピラーツーピラーメンバと、上記車室の前端部に配置され、ブレーキシリンダ用のオイルを溜めるリザーバタンクと、上記ピラーツーピラーメンバとリザーバタンクとをその後方から覆って上記ピラーツーピラーメンバに支持されるインスツルメントパネルとを備えた自動車において、
上記フロントピラーに固着されて上記リザーバタンクを支持する支持ブラケットを設け、上記インスツルメントパネルを支持したピラーツーピラーメンバの長手方向の端部を、上記フロントピラーの所定部位の後側からこの所定部位に向けて案内可能とする案内部を上記支持ブラケットに形成してある。
【００１８】
このため、上記インスツルメントパネルを支持したピラーツーピラーメンバの端部を上記フロントピラーの所定部位に組み付ける場合には、まず、このフロントピラーの所定部位の後側に上記ピラーツーピラーメンバの端部を位置させる。次に、上記ピラーツーピラーメンバとインスツルメントパネルとを一体的に全体に前方移動させる。すると、上記ピラーツーピラーメンバの端部が、上記案内部によって上記フロントピラーの所定部位に向かうよう案内される。これにより、上記ピラーツーピラーメンバの端部を上記フロントピラーの所定部位に位置させて、この所定部位に対し上記ピラーツーピラーメンバの端部を固着させれば、これにより上記組み付け作業が終わる。よって、上記フロントピラーへのピラーツーピラーメンバの組み付け作業時には、上記ピラーツーピラーメンバの端部が案内部で案内される分、この組み付け作業が容易にできる。
【００１９】
また、上記したように、ピラーツーピラーメンバの端部が案内部により案内されるため、上記ピラーツーピラーメンバの端部が上記フロントピラーの所定部位に向かうときのピラーツーピラーメンバとインスツルメントパネルの各移動軌跡の占有空間は必要最小限で足り、よって、上記ピラーツーピラーメンバ、リザーバタンク、およびインスツルメントパネルは互いに近接配置させることができ、つまり、これらをコンパクトに配置でき、これにより生じる余剰空間の利用により、インスツルメントパネルの意匠形状の設定の自由度を向上させることができる。
【００２０】
また、上記組み付け作業において、上記したようにピラーツーピラーメンバの端部をフロントピラーの所定部位に向けて案内する案内部は、上記リザーバタンクを支持する支持ブラケットに形成されたものであるため、別途に案内体を設けることに比べ、上記した組み付け作業の容易化は簡単な構成で達成される。
【００２１】
しかも、上記したようにピラーツーピラーメンバの端部を案内する案内部は、リザーバタンクをフロントピラーに支持させる支持ブラケットに形成したため、上記案内部によりピラーツーピラーメンバの端部が案内されるとき、これらフロントピラー、ピラーツーピラーメンバ、リザーバタンク、およびインスツルメントパネルの相対位置が互いに精度よく定められる。よって、その分、上記ピラーツーピラーメンバとインスツルメントパネルの各移動軌跡の占有空間を更に小さくでき、よって、上記ピラーツーピラーメンバ、リザーバタンク、およびインスツルメントパネルは更にコンパクトに配置でき、これにより生じる余剰空間の利用により、インスツルメントパネルの意匠形状の設定の自由度を更に向上させることができる。
【発明を実施するための最良の形態】
【００２２】
本発明の自動車の車室における車両構成部品支持構造に関し、フロントピラーに対するピラーツーピラーメンバの組み付け作業が容易にできるようにし、かつ、このようにした場合でも、ピラーツーピラーメンバ、リザーバタンク、およびインスツルメントパネルがコンパクトに配置されるようにすると共に、上記した容易な組み付け作業が簡単な構成で達成されるようにする、という目的を実現するため、本発明を実施するための最良の形態は、次の如くである。
【００２３】
即ち、自動車が、車室の前端部に配置され、車体の幅方向に延びてその各端部が左右フロントピラーの所定部位に結合されるピラーツーピラーメンバと、上記車室の前端部に配置され、ブレーキシリンダ用のオイルを溜めるリザーバタンクと、上記ピラーツーピラーメンバとリザーバタンクとをその後方から覆って上記ピラーツーピラーメンバに支持されるインスツルメントパネルとを備えている。
【００２４】
上記フロントピラーに固着されて上記リザーバタンクを支持する支持ブラケットが設けられ、上記インスツルメントパネルを支持したピラーツーピラーメンバの端部を上記フロントピラーの所定部位の後側からこの所定部位に向けて案内可能とする案内部を上記支持ブラケットに形成してある。
【実施例】
【００２５】
本発明をより詳細に説明するために、その実施例を添付の図に従って説明する。
【００２６】
図において、符号１は自動車の車体で、矢印Ｆｒはこの自動車の進行方向の前方示している。
【００２７】
上記車体１は板金製で、その内部空間が車室２とされている。上記車体１は、上記車室２の前面を形成する不図示のフロンとパネルと、このフロントパネルよりも後側で上記車室２の前端部の左右各側方に配置される左右一対のフロントピラー３と、前後方向に延びて上記フロントパネルの各側縁部と上記フロントピラー３とを互いに結合させるフェンダインナパネル４と、このフェンダインナパネル４をその外側方から覆うと共に後端部が上記フロントピラー３に結合されるフェンダアウタパネル５と、車体１の幅方向に延びてその長手方向の各端部が上記左右フロントピラー３に締結具６により着脱可能に結合されるピラーツーピラーメンバ７とを備えている。
【００２８】
上記フロントピラー３は、上下方向にそれぞれ長く延びて車体１の幅方向で対面するインナパネル１０とアウタパネル１１とを備え、これら両パネル１０,１１の前縁部同士と後縁部同士とがそれぞれ互いに連結されて、上記フロントピラー３の平面視断面が閉断面とされている。上記フェンダインナパネル４とインナパネル１０は互いに一体成形されて互いに結合され、上記フェンダアウタパネル５とアウタパネル１１とが結合され、上記フロントピラー３は十分の強度と剛性とを備えている。上記インナパネル１０の車室２側の面は、前後方向に平坦に延びている。
【００２９】
上記ピラーツーピラーメンバ７は、車体１の幅方向に延びる断面円形のパイプ部材１３と、上記ピラーツーピラーメンバ７の長手方向の各端部を構成し上記パイプ部材１３の端部軸心に直交するよう前後かつ上下に延びてこのパイプ部材１３の端部に固着される板金製のフランジ１４とを備えている。このフランジ１４は、上記フロントピラー３のインナパネル１０の車室２側の面における所定部位１５に位置させられて面接触させられ、上記締結具６により上記所定部位１５に締結により結合されている。
【００３０】
上記車室２の前端部の一側部（右側部）に、ドライバーにより操作可能とされるブレーキ操作装置１９が設けられている。
【００３１】
上記ブレーキ操作装置１９は、車体１の一部である上記フロントパネルから車室２に向かって突設されたブラケット２０と、上下方向に長く延びてその下端部に踏動部を有し、上記ブラケット２０に枢支軸２１により枢支されるブレーキペダル２２と、上記ブラケット２０に支持され、上記ブレーキペダル２２の踏動部への踏動力を増加させて不図示のブレーキ装置に伝達する油圧式のブレーキブースター装置２３とを備えている。
【００３２】
上記ブレーキブースター装置２３は、上記ブラケット２０に支持され上記ブレーキペダル２２の端部に連動連結されるブースター２６と、このブースター２６に連動連結されると共に上記ブレーキ装置を連動連結させる油圧式のブレーキシリンダ２７と、このブレーキシリンダ２７の内部に供給すべきオイルを溜めるリザーバタンク２８と、上記フロントピラー３のインナパネル１０の車室２側の面に固着され、上記リザーバタンク２８を一対の締結具２９により着脱可能に固着させる支持ブラケット３０と、上記ブレーキシリンダ２７とリザーバタンク２８とを互いに連通させて、これら両者２７,２８間でオイルを流動可能とさせるオイルチューブ３１とを備えている。
【００３３】
上記支持ブラケット３０はプレス加工された板金製で、この支持ブラケット３０は、前後方向に延び上記フロントピラー３の所定部位１５の前上方における近傍に面接触してスポット溶接Ｓにより固着される基部３４と、この基部３４の前後各端部から車体１の幅方向で車室２の内側に向かって一体的に突出する一対の突出部３５,３５と、これら各突出部３５の突出端部に一体成形される一対の外向きフランジ３６,３６とを備え、これら外向きフランジ３６,３６に上記リザーバタンク２８が締結具２９により固着され、つまり、上記支持ブラケット３０は上記リザーバタンク２８を上記フロントピラー３に支持させている。
【００３４】
上記ピラーツーピラーメンバ７と、ブレーキブースター装置２３を構成するブレーキシリンダ２７、リザーバタンク２８、支持ブラケット３０、およびオイルチューブ３１とをその後方から全体的に覆って上記ピラーツーピラーメンバ７の各フランジ１４に固着具３９により固着される樹脂製のインスツルメントパネル４０が設けられている。
【００３５】
上記各フロントピラー３の所定部位１５に対し、その後側から上記インスツルメントパネル４０を支持したピラーツーピラーメンバ７の各端部のフランジ１４が組み付け可能とされている。この場合、これら各フランジ１４を各所定部位１５の後側に位置させた状態から（図１中一点鎖線）、上記ピラーツーピラーメンバ７とインスツルメントパネル４０とを一体的に全体に前方移動させると（図１中矢印Ａ）、上記左右フロントピラー３の間に上記ピラーツーピラーメンバ７が、がたつきなく嵌入可能とされている。また、上記ピラーツーピラーメンバ７の各端部の各フランジ１４のフロントピラー３側の端面が、それぞれこのフロントピラー３の車室２側の面を前方に向って摺動可能とされている。
【００３６】
また、上記したようにピラーツーピラーメンバ７とインスツルメントパネル４０とを一体的に全体に前方移動させるとき（図１中矢印Ａ）、上記ピラーツーピラーメンバ７の長手方向の一端部のフランジ１４を上記フロントピラー３の所定部位１５に向かうよう案内する案内部４２が上記支持ブラケット３０に形成され、上記案内部４２は、上記フランジ１４の前上縁部を前下方に向かい摺動させて、上記のようにフランジ１４を案内する。また、上記ピラーツーピラーメンバ７の他端部のフランジ１４が他のフロントピラー３の所定部位１５に向かうよう上記フランジ１４を摺動させて案内する不図示の他の案内部が設けられている。
【００３７】
なお、図例では、上記フロントピラー３の所定部位１５に対し、ピラーツーピラーメンバ７のフランジ１４が固着された状態で、このフランジ１４と上記案内部４２との間には隙間が設けられているが、この隙間はできるだけ狭いことが好ましい。
【００３８】
上記案内部４２は、上記支持ブラケット３０における前、後突出部３５,３５のうちの後側の突出部３５の後面によって形成され、前下りに直線的に伸びる傾斜面とされている。
【００３９】
上記構成において、インスツルメントパネル４０を支持したピラーツーピラーメンバ７の端部を上記フロントピラー３の所定部位１５に組み付ける場合には、まず、上記各フロントピラー３の各所定部位１５の後側に上記ピラーツーピラーメンバ７の各端部を位置させる（図１中一点鎖線）。次に、上記ピラーツーピラーメンバ７とインスツルメントパネル４０とを一体的に全体に前方移動させる（図１中矢印Ａ）。すると、上記ピラーツーピラーメンバ７の各端部が、上記各フロントピラー３の車室２側の面、上記案内部４２、および他の案内部によって上記各フロントピラー３の各所定部位１５に向かうよう案内される。これにより、上記ピラーツーピラーメンバ７の各端部を上記各フロントピラー３の各所定部位１５に位置させて、これら所定部位１５に対し上記ピラーツーピラーメンバ７の各端部を上記締結具２９により固着させれば、これにより上記組み付け作業が終わる。よって、上記フロントピラー３へのピラーツーピラーメンバ７の組み付け作業時には、上記ピラーツーピラーメンバ７の端部が案内部４２で案内される分、この組み付け作業が容易にできる。
【００４０】
また、上記したように、ピラーツーピラーメンバ７の各端部が案内部４２により案内されるため、上記ピラーツーピラーメンバ７の各端部が上記各フロントピラー３の各所定部位１５に向かうときのピラーツーピラーメンバ７とインスツルメントパネル４０の各移動軌跡の占有空間は必要最小限で足り、よって、上記ピラーツーピラーメンバ７、リザーバタンク２８、およびインスツルメントパネル４０は互いに近接配置させることができ、つまり、これらをコンパクトに配置でき、これにより生じる余剰空間の利用により、インスツルメントパネル４０の意匠形状の設定の自由度を向上させることができる。
【００４１】
また、上記組み付け作業において、上記したようにピラーツーピラーメンバ７の端部をフロントピラー３の所定部位１５に向けて案内する案内部４２は、上記リザーバタンク２８を支持する支持ブラケット３０に形成されたものであるため、別途に案内体を設けることに比べ、上記した組み付け作業の容易化は簡単な構成で達成される。
【００４２】
しかも、上記したようにピラーツーピラーメンバ７の端部を案内する案内部４２は、リザーバタンク２８をフロントピラー３に支持させる支持ブラケット３０に形成したため、上記案内部４２によりピラーツーピラーメンバ７の端部が案内されるとき、これらフロントピラー３、ピラーツーピラーメンバ７、リザーバタンク２８、およびインスツルメントパネル４０の相対位置が互いに精度よく定められる。よって、その分、上記ピラーツーピラーメンバ７とインスツルメントパネル４０の各移動軌跡の占有空間を更に小さくでき、よって、上記ピラーツーピラーメンバ７、リザーバタンク２８、およびインスツルメントパネル４０は更にコンパクトに配置でき、これにより生じる余剰空間の利用により、インスツルメントパネル４０の意匠形状の設定の自由度を更に向上させることができる。
【００４３】
また、前記したように、案内部４２は前下りの傾斜面とされている。
【００４４】
このため、上記組み付け作業をする場合には、まず、上記フロントピラー３の所定部位１５の後側に上記ピラーツーピラーメンバ７の端部を位置させ、次に、真直ぐ上記ピラーツーピラーメンバ７とインスツルメントパネル４０とを前方移動させ、上記ピラーツーピラーメンバ７の端部が上記案内部４２に当接したところで、この案内部４２に対し前下方に上記ピラーツーピラーメンバ７の端部を摺動させれば、このピラーツーピラーメンバ７の端部が上記フロントピラー３の所定部位１５にまで案内されることとなる。
【００４５】
よって、上記組み付け作業時におけるピラーツーピラーメンバ７とインスツルメントパネル４０の移動を単純にさせることができ、その分、上記組み付け作業が更に容易となる。
【００４６】
なお、以上は図示の例によるが、上記突出部３５と外向きフランジ３６とは、それぞれ前、後一対のうちのいずれか一方のみを設けてもよい。また、上記案内部４２を前上がりの傾斜面としてもよい。また、上記ピラーツーピラーメンバ７の端部を前方移動させ、このピラーツーピラーメンバ７の端部が前後方向で上記所定部位１５に対応する位置に達したとき、上記案内部４２が、上記ピラーツーピラーメンバ７の端部のそれ以上の前方移動を阻止するようにし、その後、この案内部４２に対しピラーツーピラーメンバ７の端部を上方もしくは下方に摺動させることにより、このピラーツーピラーメンバ７の端部が上記フロントピラー３の所定部位１５に向けて案内されるようにしてもよい。
【図面の簡単な説明】
【００４７】
【図１】自動車の車室における車両構成部品支持構造の側面部分断面図である。
【図２】図１の２−２線矢視断面図である。
【符号の説明】
【００４８】
１      車体
２      車室
３      フロントピラー
６      締結具
７      ピラーツーピラーメンバ
１３    パイプ部材
１４    フランジ
１５    所定部位
１９    ブレーキ操作装置
２２    ブレーキペダル
２３    ブレーキブースター装置
２７    ブレーキシリンダ
２８    リザーバタンク
２９    締結具
３０    支持ブラケット
３１    オイルチューブ
３４    基部
３５    突出部
３６    外向きフランジ
３９    固着具
４０    インスツルメントパネル
４２    案内部
Ｓ      スポット溶接
【図１】
2005112097.tif 000003
【図２】
2005112097.tif 000004